(57)【要約】  情報記録媒体、データの記録／再生方法及び装置を提供する。  リードイン領域、ユーザーデータ領域及びリードアウト領域を有する情報記録媒体において、リードイン領域及びリードアウト領域のうち少なくとも一つの領域の一部または全領域に、データがウォブリングピットにより記録されているかについての情報が記録されたことを特徴とする情報記録媒体である。
2007521604.tif 000002
【特許請求の範囲】
【請求項１】
リードイン領域、ユーザーデータ領域及びリードアウト領域を有する情報記録媒体において、
前記リードイン領域及びリードアウト領域のうち少なくとも一つの領域の少なくとも一部に、付加情報がウォブリングピットにより記録されているかについての情報が記録されたことを特徴とする情報記録媒体。
【請求項２】
前記付加情報についての情報が、前記リードイン領域及びリードアウト領域のうち少なくとも一つの領域にあるディスク関連情報が記録される領域に記録されることを特徴とする請求項１に記載の情報記録媒体。
【請求項３】
前記ウォブリングピットにより記録される領域のデータ記録変調方式と残りの領域のデータ記録変調方式とが異なることを特徴とする請求項１に記載の情報記録媒体。
【請求項４】
前記ウォブリングピットにより記録された付加情報は、情報記録媒体の種類を区分できるＩＤ、シリアルナンバー、記録されているコンテンツ種類、記録媒体の製造者及びコピー防止のためのデータのうち少なくともいずれか一つであることを特徴とする請求項１に記載の情報記録媒体。
【請求項５】
前記情報記録媒体が光ディスクであることを特徴とする請求項１に記載の情報記録媒体。
【請求項６】
リードイン領域、ユーザーデータ領域及びリードアウト領域を有する情報記録媒体において、
前記リードイン領域及びリードアウト領域のうち少なくとも一つの領域の少なくとも一部領域に、ピットに記録された情報以外の付加情報が記録されているかについての情報が記録されたことを特徴とする情報記録媒体。
【請求項７】
前記付加情報は、ウォブリングピットのウォブルにより記録されたことを特徴とする請求項６に記載の情報記録媒体。
【請求項８】
前記付加情報は、情報記録媒体の種類を区分できるＩＤ、シリアルナンバー、記録されているコンテンツ種類、記録媒体の製造者及びコピー防止のためのデータのうち少なくともいずれか一つであることを特徴とする請求項６に記載の情報記録媒体。
【請求項９】
リードイン領域、ユーザーデータ領域及びリードアウト領域を有する情報記録媒体に／からデータを記録／再生する方法において、
前記リードイン領域及びリードアウト領域のうち少なくとも一つの領域の少なくとも一部領域に、付加情報がウォブリングピットにより記録されているかについての情報を記録するステップと、
前記情報記録媒体がローディングされれば、前記付加情報に関する情報を読み取るステップと、
前記読み取られた情報によって付加情報を読み取るステップとを含むことを特徴とする方法。
【請求項１０】
前記ウォブリングピットにより記録される付加情報は、ウォブリングピットにより記録されていない情報と異なる変調方式で変調されたことを特徴とする請求項９に記載の方法。
【請求項１１】
前記ウォブリングピットにより記録された付加情報は、情報記録媒体の種類を区分できるＩＤ、シリアルナンバー、記録されているコンテンツ種類、記録媒体の製造者及びコピー防止のためのデータのうち少なくともいずれか一つであることを特徴とする請求項９に記載の方法。
【請求項１２】
リードイン領域、ユーザーデータ領域及びリードアウト領域を有する情報記録媒体に／からデータを記録／再生する装置において、
前記リードイン領域及びリードアウト領域のうち少なくとも一つの領域の少なくとも一部領域に、ピットに記録された情報以外の付加情報が記録されているかについての情報を記録するステップと、
前記付加情報に関して記録された情報によって付加情報を再生するステップとを含むことを特徴とする方法。
【請求項１３】
前記ウォブリングピットにより記録された情報は、ピットにより記録されていない付加情報と異なる変調方式で変調されたことを特徴とする請求項１２に記載の方法。
【請求項１４】
前記付加情報は、情報記録媒体の種類を区分できるＩＤ、シリアルナンバー、記録されているコンテンツ種類、記録媒体の製造者及びコピー防止のためのデータのうち少なくともいずれか一つであることを特徴とする請求項１２に記載の方法。
【請求項１５】
前記付加情報は、ウォブリングピットのウォブルにより記録されることを特徴とする請求項１２に記載の情報記録媒体。
【請求項１６】
情報記録媒体に情報を記録／再生する装置において、
前記情報記録媒体に付加情報がウォブリングピットにより記録されているかに関する情報を再生する読み取り部と、
前記読み取り部により読み取った情報によって付加情報を再生するように制御する制御部とを備えることを特徴とする装置。
【請求項１７】
前記ウォブリングピットにより記録される付加情報は、ウォブリングピットにより記録されていない情報と異なる変調方式で変調されることを特徴とする請求項１６に記載の装置。
【請求項１８】
前記ウォブリングピットにより記録された付加情報は、情報記録媒体の種類を区分できるＩＤ、シリアルナンバー、記録されているコンテンツ種類、記録媒体の製造者及びコピー防止のためのデータのうち少なくともいずれか一つであることを特徴とする請求項１６に記載の装置。
【請求項１９】
ピットの配列がウォブリングされているかに関する情報が、情報記録媒体にウォブリングされたピットの配列と別途に記録されたことを特徴とする情報記録媒体。
【請求項２０】
前記情報は、情報記録媒体のリードイン領域に記録されたことを特徴とする請求項１９に記載の情報記録媒体。
【請求項２１】
前記情報は、リードイン領域のディスク関連情報領域に記録されることを特徴とする請求項１９または２０に記載の情報記録媒体。
【請求項２２】
情報記録媒体上に／からデータを記録／再生する方法において、
ウォブリングピットによりディスク関連データを記録／再生するステップと、
前記情報記録媒体に記録されたユーザーデータと異なる方式でディスク関連データを変調及び復調するステップとを含むことを特徴とする方法。
【発明の詳細な説明】
【技術分野】
【０００１】
本発明は、リードイン領域及びリードアウト領域のうち少なくとも一つの領域に、付加情報がウォブリングピットにより記録されたかについての情報が記録された情報記録媒体、データの記録／再生装置及び方法に関する。
【背景技術】
【０００２】
一般的に光情報記録媒体、例えば光ディスクは、非接触式で情報を記録／再生する光ピックアップ装置の情報記録媒体として広く採用され、情報記録容量によってＣＤ、ＤＶＤに区分される。そして、情報の記録、消去及び再生が可能な光ディスクとして、６５０ＭＢ  ＣＤ−Ｒ、ＣＤ−ＲＷ、４．７ＧＢ  ＤＶＤ＋Ｒ／ＲＷ、ＤＶＤ−ＲＡＭ、ＤＶＤ−Ｒ／ＲＷなどがあり、再生専用のディスクとして６５０ＭＢ  ＣＤ、４．７ＧＢ  ＤＶＤ−ＲＯＭなどがある。さらに、記録容量が２０ＧＢ以上である高密度の光ディスク（ＨＤ−ＤＶＤ）も開発されている。
【０００３】
しかし、前記のような多様な種類の情報記録媒体は、互換性を通じてユーザーの便宜を図るか、または経済性を考慮して記録媒体の種類別に標準化された規格を有し、まだ規格が決まっていない記録媒体については、標準化のための努力が行われている。特に、既存の記録媒体との互換性や一貫性などを確保する方向にフォーマットについての開発が要求される。
【０００４】
既存の記録媒体には、データをピット形態に記録するか、またはグルーブウォブル形態に記録する方式が採用されてきた。ここで、ピットとは、ディスクの製造時に基板に物理的にくぼんで形成された溝をいい、グルーブウォブルとは、グルーブがウェーブ形態に形成されたことをいうものであって、ウォブルによりデータが記録されうる。一方、ピット信号は和信号として検出され、グルーブウォブル信号はプッシュプル信号として検出される。このようにデータが記録された形態によって信号チャンネルが異なるので、データの記録形態についての情報が別途に記録されることが要求される。
【発明の開示】
【発明が解決しようとする課題】
【０００５】
本発明の目的は、前記のような問題に鑑みてなされるものであって、付加情報がウォブリングピット形態に記録されているかについての情報が記録された情報記録媒体、その情報記録媒体にデータを記録／再生する方法及び装置を提供するところにある。
【０００６】
本発明の付加的な側面及び／または長所は、後述する説明で部分的に記述され、一部は詳細な説明から明確になり、または本発明の実施により習得されうる。
【課題を解決するための手段】
【０００７】
前記の目的を達成するために、本発明による光情報記録媒体は、リードイン領域、ユーザーデータ領域及びリードアウト領域を有する情報記録媒体において、前記リードイン領域及びリードアウト領域のうち少なくとも一つの領域の少なくとも一部領域に、データがウォブリングピットにより記録されているかについての情報が記録されたことを特徴とする。
【０００８】
また、前記ウォブリングピットについての情報が、前記リードイン領域及びリードアウト領域のうち少なくとも一つの領域にあるディスク関連情報が記録される領域に記録されうる。
【０００９】
前記ウォブリングピットにより記録される領域のデータ記録変調方式と残りの領域のデータ記録変調方式とが異なりうる。前記ウォブリングピットにより記録された付加情報は、情報記録媒体の種類を区分できるＩＤ、シリアルナンバー、記録されているコンテンツ種類、記録媒体の製造者及びコピー防止のためのデータのうち少なくともいずれか一つを含むことができる。
【００１０】
前記の目的を達成するために、本発明による情報記録媒体は、リードイン領域、ユーザーデータ領域及びリードアウト領域を有する情報記録媒体において、前記リードイン領域及びリードアウト領域のうち少なくとも一つの領域の少なくとも一部領域に、ピットにより記録された情報以外の付加情報が記録されているかについての情報が記録されたことを特徴とする。
【発明の効果】
【００１１】
本発明によれば、付加情報に関する情報が記録され、この情報を利用して情報記録媒体から付加情報を迅速かつ正確に再生できる。
【発明を実施するための最良の形態】
【００１２】
添付された図面に示した例について本発明の実施形態についての参照が詳細になり、類似した要素に対して類似した参照番号が付与される。
【００１３】
本発明を理解するために参考として、図１は、記録可能な情報記録媒体のレイアウトを示す図である。図１に示すように、記録可能な情報記録媒体は、リードイン領域１１０、ユーザーデータ領域１２０及びリードアウト領域１３０を備え、記録媒体の全体領域をグルーブ１２３及びランド１２５で構成する。ここで、ユーザーデータは、グルーブ１２３にのみ記録され、またはグルーブ１２３及びランド１２５の両側にいずれも記録されうる。
【００１４】
一方、リードイン領域１１０に再生専用のデータを記録するとき、ピットの代わりにグルーブ及び／またはランドの側壁に特定の周波数の信号であるウェーブ型の高周波及び低周波のウォブル信号１０５，１０６を連続して記録する。ここで、ビームＬがグルーブ１２３及び／またはランド１２５のトラックに沿ってデータを記録／再生する。特に、リードイン領域１１０及びリードアウト領域１３０には、ディスク関連情報が記録される再生専用の領域と記録可能な領域とが共に備えられる。前記ディスク関連情報は、高周波ウォブル１０５に記録され、リードイン領域１１０及びリードアウト領域１３０の記録可能な領域及びユーザーデータ領域１２０は、高周波ウォブル１０５に比べて相対的に低い周波数のウォブル１０６で構成される。符号１２７は、ユーザーデータ領域１２０に形成された記録マークを表す。
【００１５】
かかる構造でなる記録可能な光情報記録媒体において、リードイン領域１１０またはリードアウト領域１３０の再生専用のデータは、プッシュプルチャンネルを利用して再生し、ユーザーデータは、サムチャンネルを利用して再生できる。また、リードイン領域に記録されるデータの記録変調方式としては、バイフェーズ変調方式を採択し、ユーザーデータの記録変調方式としては、後述するＲＬＬ（Ｒｕｎ  Ｌｅｎｇｔｈ  Ｌｉｍｉｔ）変調方式を採択する。バイフェーズ変調方式によれば、一定な周期内に信号変化がある場合及びそうでない場合によってデータを表示する方式である。例えば、所定周期内でグルーブウォブルの位相が変わらないときには０ビットを、グルーブウォブルの位相が変わるときには１ビットを表す。このように一定な周期内で所定の信号変化の有無、例えば位相変化の有無によってデータを記録する方式をバイフェーズ方式という。ここでは、グルーブウォブルの位相変調を説明したが、その他にも多様なパターンの位相変調が可能である。
【００１６】
前述したような記録可能な光情報記録媒体との記録変調方式についての一貫性を考慮して、本発明による再生専用の情報記録媒体のレイアウト構造を図２に示したように構成できる。
【００１７】
再生専用の情報記録媒体は、ユーザーデータが記録されるデータ領域１３、データ領域１３に対して内側に設けられたリードイン領域１０、及びデータ領域１３に対して外側に設けられたリードアウト領域１５を備え、リードイン領域１０、データ領域１３及びリードアウト領域１５にデータがピット形態に記録される。
【００１８】
特に、図３Ａに示したように、リードイン領域１０及びリードアウト領域１５のうち少なくとも一つの領域の一部または全領域にデータがウォブリングピット８により記録され、残りの領域にはデータが非ウォブリングピット９により記録されうる。
【００１９】
または、図３Ｂに示したように、リードイン領域１０の一部または全領域にデータが非ウォブリングピット９により記録されうる。
【００２０】
ウォブリングピット８とは、ピットがウェーブ形態に配列されたピット列を意味し、非ウォブリングピットとは、ピットがラインパターンに配列されたことを意味する。
【００２１】
ウォブリングピット８は、ピット自体にデータが記録される一方、ウォブルにより付加情報が記録されうる。ここで、付加情報は、ピット形態に記録された情報以外に付加される情報を表す。前記付加情報としては、情報記録媒体の種類を区分できるＩＤ、シリアルナンバー、記録されているコンテンツ種類、メディア製造者及び他の記録媒体へのコピーを防止するためのデータ（または、特殊のアルゴリズム）のうち少なくとも一つとなりうる。
【００２２】
一方、非ウォブリングピット９は、ピットに記録されたデータのみを含み、付加情報はない。
【００２３】
本発明による情報記録媒体は、リードイン領域１０及びリードアウト領域１５のうち少なくとも一つの領域の一部または全領域に、付加情報が記録されているかについての情報が記録されることを特徴とする。すなわち、ピット列がウォブリングされているか、または非ウォブリングであるかについての情報が別途に記録されることである。
【００２４】
かかる付加情報に関する情報は、リードイン領域１０に記録され、望ましくは、必須的なものではないが、ディスク関連情報が記録される領域１０ａに記録されうる。
【００２５】
ディスク関連情報領域１０ａの所定バイトに付加情報についての情報が記録され、例えば次のように記録されうる。
【００２６】
００００  ００００ｂ：付加情報が記録されない（非ウォブリング）
００００  ０００１ｂ：付加情報が記録される（ウォブリング）
このように付加情報が記録されているか否かを表す情報を別途に記録することによって、付加情報の再生を迅速かつ信頼性高く行える。
【００２７】
一方、前記ウォブリングピットによるデータの変調／復調方式をユーザーデータの変調／復調方式と異ならせることによって、付加情報の記録及び再生時に信頼性を向上させる。例えば、リードイン領域１０の全体またはディスク関連情報領域１０ａに記録されるデータ記録変調方式としては、バイフェーズ変調方式を採択し、残りの領域のデータ記録変調方式としては、ＲＬＬ変調方式を採択できる。
【００２８】
ＲＬＬ変調方式は、１ビットと１ビットとの間に０ビットが幾つかであるによる変調方式を表すものであって、ＲＬＬ（ｄ，ｋ）は、１ビットと１ビットとの間に０ビットの個数が最小ｄ個であり、最大ｋ個であることを意味する。
【００２９】
例えば、ディスク関連情報領域１０ａはバイフェーズ変調方式により、残りの領域はＲＬＬ（１，７）変調方式によりデータを記録できる。
【００３０】
本発明による情報記録媒体は、単層の情報保存層を有する記録媒体だけでなく、複数層の情報保存層を有する記録媒体に適用されうる。
【００３１】
前述したように、本発明による情報記録媒体は、リードイン領域及びリードアウト領域のうち少なくとも一つの領域に付加情報が記録されているかについての情報を記録することによって、付加情報の再生を迅速に行える。
【００３２】
図４は、本発明によってデータを記録及び／または再生する方法を説明するためのフローチャートである。
【００３３】
本発明による情報記録媒体にデータを記録及び／または再生する方法は、情報記録媒体の所定領域、例えばディスク関連情報領域に付加情報の記録如何についての情報を記録する。この付加情報は、ウォブリングピットのウォブル形態に記録される。
【００３４】
前記情報記録媒体がローディングされれば、前記付加情報についての情報を読み取る。この情報が、付加情報が記録されていることを表せば、その情報によって付加情報を再生する。そして、この付加情報を利用して情報記録媒体に記録されたユーザーデータを再生する。
【００３５】
図５は、本発明によって付加情報についての情報を記録／再生する装置のブロック図である。本発明による装置は、記録／読み取り部５１及び制御部５２を備える。記録／読み取り部５１は、本発明の実施形態による情報記録媒体である情報記録媒体６０にデータを記録し、記録されたデータを読み取る。制御部５２は、記録／読み取り部５１を制御して、本発明によって付加情報についての情報を情報記録媒体６０に記録し、その情報によって情報記録媒体６０に記録された付加情報を読み取る。
【００３６】
図６は、図５のデータ記録／再生装置が具体化された実施形態のブロック図である。図６に示すように、データ記録／再生装置は、記録／読み取り部５１としてピックアップ７０を備える。情報記録媒体６０は、ピックアップ７０に装着されている。また、制御部５２は、ＰＣ  Ｉ／Ｆ  ７１、ＤＳＰ（デジタル信号処理器）７２、ＲＦ  ＡＭＰ  ７３、サーボ７４及びシステムコントローラ７５を備える。
【００３７】
記録時、ＰＣ  Ｉ／Ｆ  ７１は、ホスト（図示せず）から記録するデータと共に記録命令を受ける。システムコントローラ７５は、記録に必要な初期化を行う。すなわち、リードイン領域に保存されたディスク情報など初期化に必要な情報を読み取った後、それに基づいて記録を準備する。ＤＳＰ  ７２は、ＰＣ  Ｉ／Ｆ  ７１を通じて受けた記録するデータを、エラー訂正のためにパリティなど付加データを添加してＥＣＣ（Ｅｒｒｏｒ  Ｃｏｒｒｅｃｔｉｏｎ  Ｃｏｄｅ）エンコーディングを行い、ＥＣＣエンコーディングされたデータを既定の方式で変調する。ＲＦ  ＡＭＰ  ７３は、ＤＳＰ７２から出力されたデータをＲＦ信号に変える。ピックアップ７０は、ＲＦ  ＡＭＰ７３から出力されたＲＦ信号を情報記録媒体６０に記録する。サーボ７４は、システムコントローラ７５からサーボ制御に必要な命令を入力されてピックアップ７０をサーボ制御する。システムコントローラ７５は、情報記録媒体６０に付加情報についての情報を所定領域に記録するようにする。
【００３８】
情報記録媒体６０に保存された情報の再生時、ＰＣ  Ｉ／Ｆ  ７１は、ホスト（図示せず）から再生命令を受ける。システムコントローラ７５は、再生に必要な初期化を行う。このとき、システムコントローラ７５は、本発明によって情報記録媒体６０に記録された付加情報についての情報を読み取る。そして、この情報によって付加情報の再生を行う。ピックアップ７０は、情報記録媒体６０にレーザービームを照射し、情報記録媒体６０から反射されたレーザービームを受光して得られた光信号を出力する。ＲＦ  ＡＭＰ  ７３は、ピックアップ７０から出力された光信号をＲＦ信号に変え、ＲＦ信号から得られた変調されたデータをＤＳＰ  ７２に提供する一方、ＲＦ信号から得られた制御のためのサーボ信号をサーボ７４に提供する。ＤＳＰ  ７２は、変調されたデータを復調し、ＥＣＣエラー訂正を経て得られたデータを出力する。一方、サーボ７４は、ＲＦ  ＡＭＰ  ７３から受けたサーボ信号及びシステムコントローラ７５から受けたサーボ制御に必要な命令を受けてピックアップ７０についてのサーボ制御を行う。ＰＣ  Ｉ／Ｆ  ７１は、ＤＳＰ  ７２から受けたデータをホストに送信する。
【００３９】
本発明の幾つかの実施形態が図示されて説明されたが、当業者により本発明の原則及び思想は、特許請求の範囲及びその均等な範囲に定義された範囲を逸脱せず、それらの実施形態の変化が作られうる。
【図面の簡単な説明】
【００４０】
【図１】本発明の関連技術として記録可能な高密度の情報記録媒体の物理的なレイアウトを概略的に示す図である。
【図２】本発明による情報記録媒体のレイアウト構造を概略的に示す図である。
【図３Ａ】本発明による情報記録媒体に形成されたウォブリングピットと非ウォブリングピットとを示す図である。
【図３Ｂ】本発明による情報記録媒体に形成されたウォブリングピットと非ウォブリングピットとを示す図である。
【図４】本発明の実施形態による記録及び／または再生方法を示すフローチャートである。
【図５】本発明の実施形態によって、付加情報の記録についての情報を記録及び／または再生する装置のブロックダイヤグラムである。
【図６】図５のデータ記録／再生装置の一例の構造を示す図である。
【図１】
2007521604.tif 000003
【図２】
2007521604.tif 000004
【図３Ａ】
2007521604.tif 000005
【図３Ｂ】
2007521604.tif 000006
【図４】
2007521604.tif 000007
【図５】
2007521604.tif 000008
【図６】
2007521604.tif 000009
【国際調査報告】
2007521604.tif 000010